(57)【要約】      （修正有）【課題】定形郵便物として送付できる収納ケースとして使用でき、且つ展示することもできる多用途収納ケースを提供する。【解決手段】多用途収納ケースであって、前面に複数の収納部を有し、対向する両側部に側襠部分を有する前パネルと、対向する両側部に側襠部分を有する後パネルと、前記後パネルと前記前パネルとを接続するように設けられた一定の幅を有する下襠部分と、前記前パネルと後パネルの両側部に設けられて、前記前パネルと前記後パネルを結合する結合部材とを備え、前記収納部は、シート状の前パネルに、横方向に切った複数の切れ込み線により形成する開口部と、当該切れ込み線と交差する二列の折り曲げ線により形成する一定の幅を有する仕切り部とを有し、前記前パネルの両側部に位置する開口部の一端が自由端になる。【選択図】図１
0003143671.tif 000002
【実用新案登録請求の範囲】
【請求項１】
多用途収納ケースであって、
複数の収納部を有し、対向する両側部に側襠部分を有する前パネルと、
対向する両側部に側襠部分を有する後パネルと、
前記後パネルと前記前パネルとを接続するように設けられた一定の幅を有する下襠部分と、
前記前パネルと前記後パネルの両側部に設けられて、前記前パネルと前記後パネルを結合する結合部材と、
を備える一枚のシート材からなる多用途収納ケース。
【請求項２】
請求項１に記載の多用途収納ケースであって、
前記収納部は、シート状の前パネルに、横方向に切った複数の切れ込み線により形成する開口部と、当該切れ込み線と交差する二列の折り曲げ線により形成する一定の幅を有する仕切り部とを備え、前記折り曲げ線を折り曲げることにより、前記開口部及び仕切り部を形成することができ、前記前パネルの両側部に位置する開口部の一端が自由端になる、ことを特徴とする多用途収納ケース。
【請求項３】
請求項１又は２に記載の多用途収納ケースであって、
前記結合部材は、前記前パネル或は前記後パネルの両側部の側襠部分に設けられている挿入部と、前記後パネル或は前記前パネルの両側部の側襠部分で前記挿入部と対応する位置に設けられている挿入口からなる、ことを特徴とする多用途収納ケース。
【請求項４】
請求項１ないし３の何れかに記載の多用途収納ケースであって、
一端が前記後パネルの上側部と接続されている開閉可能な蓋を更に有する、ことを特徴とする多用途収納ケース。
【請求項５】
請求項４に記載の多用途収納ケースであって、
前記開閉可能な蓋の端部に支持部材が更に設けられている、ことを特徴とする多用途収納ケース。
【請求項６】
請求項２ないし５の何れかに記載の多用途収納ケースであって、
前記横方向に切った切れ込み線は、直線状、曲線状、肩状、又は歯状の形状を有することを特徴とする多用途収納ケース。
【考案の詳細な説明】
【技術分野】
【０００１】
本考案は、多用途収納ケースに関し、特に名刺、カタログ、会社紹介、見積書、はがき、タバコ、ペン、記録媒体（ＣＤ、ＤＶＤ）、書類等を収納し、又はこれらを展示可能とする多用途収納ケースに関する。
【背景技術】
【０００２】
現在、名刺、カタログ、記録媒体、書類等を収納するケースとして、様々な種類の形式、材料などがある。例えば、名刺を収納するケースとして、プラスチックなどの材質からなる上蓋と、上蓋と嵌合することができる下蓋からなったケースが使用されて、百枚又は二百枚の名刺を収納することが通常である。しかし、このようなケースは、普通の封筒に入れて郵送すると、定形外郵便物サイズの郵送物になって郵送コストが増大される。
【０００３】
多用途収納ケースとして、特許文献１は多用途書類ホルダを提案している。当該多用途書類ホルダは、収納されている書類の一部だけを差し替えることができ、郵送用封筒や書類置きスタンドとして使用されることもできる。図１５に示したように、当該多用途書類ホルダ９０は、主パネル９２と、主パネル９２の縦方向縁部に隣接するようにそれぞれ配置された二つの副パネル９４とを備える。なお、主パネル９２の下部に下部フラップ９７を形成し、主パネル９２の上側に上部フラップ９６を形成する。更に、主パネル９２と副パネル９４との間、及び上部フラップ９６と主パネル９２との間に襠部分９８が設けられている。副パネル９４を折り曲げることにより書類入れとして使用することができる。更に、上部フラップ９６を折り曲げて副パネル９４に固定することにより郵送用封筒として使用することができる。更に、副パネル９４を下部フラップ９７が位置する側と反対側に折り返し、二つの副パネル９４の先端を接着部９９により接合することにより、書類置きスタンドとして使用することもできる。
【０００４】
しかしながら、図１５に示した特許文献１の多用途書類ホルダ９０は、二つの副パネル９４が重ねて包装されるので、必要する材料が多くなる。更に、一枚のシート材をカットして収納ケースを製造する時、副パネル９４の下側の部分はカットされることになり除去された材料が多くなる。従って、特許文献１の多用途書類ホルダ９０は無駄になる材料が多くなる。更に、多用途書類ホルダ９０は接着部９９を設置する工程が必要になり、製造の工程が複雑になり製造コストも増大する。それに、多用途書類ホルダ９０が１００枚又は２００枚の名刺を収納して郵送しようとする場合、定形外郵便物サイズの郵送物になり郵送コストも増大することになる。
【特許文献１】特開２００７−２０３４８０号公報
【考案の開示】
【考案が解決しようとする課題】
【０００５】
本考案は、前記問題に試み、名刺、はがきなどを郵送しようとする場合、通常の定形郵便物サイズになって、郵送コストをダウンすることができる多用途収納ケースを提供することを目的とする。
【０００６】
更に、本考案は、材料の無駄を有効に避けることができ、且つ簡単な構造で、広い範囲で収納ケースとして使用することができ、スタンドとしても使用することができる多用途収納ケースを提供することを目的とする。
【課題を解決するための手段】
【０００７】
前記目的を達成するために、本考案は、複数の収納部を有し、対向する両側部に側襠部分を有する前パネルと；対向する両側部に側襠部分を有する後パネルと；後パネルと前パネルとを接続するように設けられた一定の幅を有する下襠部分と；前パネルと後パネルの両側部に設けられて、前パネルと後パネルを結合する結合部材とを備える一枚のシート材からなる多用途収納ケースを提供した。
【０００８】
収納部は、シート状の前パネルで横方向に切った複数の切れ込み線により形成する開口部と、当該切れ込み線と交差する一定の幅を有する二列の折り曲げ線により形成する仕切り部とを備え、前記折り曲げ線を折り曲げることにより、前記開口部と前記仕切り部を形成することができ、前パネルの両側部に位置する開口部の一端が自由端になる。
【０００９】
結合部材は、前記前パネル或は後パネルの両側部の側襠部分に設けられている挿入部と、前記後パネル或は前記前パネルの両側部の側襠部分で前記挿入部と対応する位置に設けられている挿入口からなる。
【００１０】
本考案に係る多用途収納ケースは、一端が前記後パネルの上側部と接続されている開閉可能な蓋を更に有する。前記開閉可能な蓋の端部に支持部材が更に設けられている。
【００１１】
前記横方向に切った切れ込み線は、直線状、曲線状、肩状、又は歯状の形状を有する。前記折り曲げ線に、ミシン目が形成されている。
【考案の効果】
【００１２】
前記のように構成された多用途ケースによれば、名刺、はがきなどを郵送しようとする場合、通常の郵送サイズになって、郵送コストをダウンすることができる。
シート材をカットして本考案の多用途収納ケースを形成する時、除去された部分が少なく、材料の無駄を有効に避けることができる。
【００１３】
支持部材を有することにより、本屋とか、展示場所、販売場所等において、当該ケースにより包装されて郵送された本や紹介資料やペン等の商品を、そのまま蓋を開けて、支持部材を挿入する一秒もかからない簡単な操作で、直接に展示することができる。従って、包蔵ケースから製品等を取り出して、再びそれらを本棚等に並んだりする必要がない。従って、郵送用の包蔵材料も廃棄せずに使用することができ、店などに対しても、本棚等を購入する必要がない。本考案の多用途収納ケースは、以上のようないろんな面で、メリットがありコストダウンすることができる。
【００１４】
前パネルにおいて、直線状、曲線状、肩状、歯状に簡単に切ることで、様々な形状の収納部を形成することができ、スタンドとして使用される時、消費者から鑑賞することもできる。
【００１５】
更に、本考案に係る多用途収納ケースの外包装面に様々な色及び図面を増加することで、消費者の注目を起こし、従来の普通の棚に比べて、製品の売り上げを増加することもできる。
【考案を実施するための最良の形態】
【００１６】
以下に、本考案の実施の形態を添付の図面に基づいて詳細に説明する。なお、本考案の図１から図１５において、点線は組み立て前の折り曲げ線を意味し、折り曲げ易いようにミシン目が形成されている。実線はカッターなどで切り抜かれた線を示している。図２から図１５において、実線は組み立て済みの折り曲げ線も示している。
【００１７】
図１は、本考案の好ましい実施形態に係る多用途収納ケース１０の展開図である。図１に示されるように、本考案の多用途収納ケース１０は、前パネル１１と、後パネル１２と、開閉可能な蓋１３とを有する。前パネル１１と後パネル１２とは、一定の幅Ｗを有する下襠部分２１により接続され、開閉可能な蓋１３は、一定の幅Ｗを有する上襠部分２２により後パネル１２と接続される。後パネル１２の長さＨ１は、前パネル１１の長さＨ２と同じ長さ又は長くなっている。蓋１３の長さＨ４は、上襠部分２２で折り曲げた際に前壁パネル１１Ａに接する長さである。
【００１８】
図１に示されるように、シート状の前パネル１１において、前パネル１１の底辺を基準として所定角度αを有した４つの切れ込み線１１１を形成する。この切れ込み線１１１の１つの長さ（厳密には隣り合う折り曲げ線１１２の間隔であるが、以下切れ込み線１１１の長さＬ１という。）はＬ１であり、４つの切れ込み線１１１によって前パネル１１は上下に前壁パネル１１Ａと移動可能のパネル１１Ｂとに区分けされる。この切れ込み線１１１と交差する方向に、ミシン目でできた一定の幅Ｗの二列の折り曲げ線１１２が形成される。３箇所の二列の折り曲げ線１１２が折り曲げられることにより、３箇所の幅Ｗである仕切り部２９が形成される。折り曲げ線１１２の長さＨ３は、所定角度αと切れ込み線１１１の長さＬ１によって決定される。例えば折り曲げ線１１２の長さＨ３を長くする際には、所定角度αを大きくすればよい。
【００１９】
前壁パネル１１Ａの対向する両側部に一定の幅Ｗを有する側襠部分２３、２５が形成されている。前壁パネル１１Ａの両側部に位置する側襠部分２３、２５に、それぞれ耳部３１、３２が形成されている。後パネル１２の対向する両側部に一定の幅Ｗを有する側襠部分２４、２６が形成されている。後パネル１２の両側部に位置する側襠部分２４、２６には、耳部３１、３２と対応する位置に、耳部３１、３２が挿入できる耳部挿入口２４１、２６２がそれぞれに形成されている。
【００２０】
前パネル１１の移動可能のパネル１１Ｂの右側の自由端部１１Ｃは、前壁パネル１１Ａと側襠部分２３とを区切るミシン目より左側に幅ＬＬ１離れている。また、移動可能のパネル１１Ｂの左側の自由端部１１Ｄは、前壁パネル１１Ａと側襠部分２５とを区切るミシン目より左側に幅ＬＬ２離れている。右側の幅ＬＬ１は幅Ｗと同じ長さ又はやや短くすることが望ましく、同様に左側の幅ＬＬ２は幅Ｗと同じ長さ又はやや短くすることが望ましい。
【００２１】
図２は、本考案の好ましい実施形態に係る４つの収納部を形成した斜面図であり、特に前パネル１１の移動可能のパネル１１Ｂを３箇所の二列の折り曲げ線１１２で折り曲げた状態を示している。
【００２２】
図１の矢印Ｄの方向に、仕切り部２９が前パネル１１に対して垂直になるまで移動可能のパネル１１Ｂを移動させる。つまり図１に示される平面状態の仕切り部２９が図２に示されるように垂直状態になる。二列の折り曲げ線１１２が幅Ｗであるため移動可能のパネル１１Ｂが矢印Ｄに従って幅Ｗ移動することになる。従って、前パネル１１の両側端の自由端部１１Ｃ，１１Ｄは、図１の位置から図２に示した位置まで移動して、自由端端部１１Ｃ、１１Ｄが前壁パネル１１Ａと側襠部分２３及び２５とを区切るミシン目とほぼ一致するようになる。最終的に、折り曲げ線１１２で折り曲げられて仕切り部２９が垂直状態になり、前壁パネル１１Ａと移動可能のパネル１１Ｂとの間に開口部２０が形成される。前パネル１１の両側部に位置する開口部２０は、仕切り部はないが図４に示した状態で側襠部分２４、２６が仕切り部の役目を果たす。
【００２３】
図３は、前パネル１１を下襠部分２１で折り曲げた後の斜視図である。
下襠部分２１のミシン目で前パネル１１を図１中の矢印Ｃの方向に折り曲げて、後パネル１２と平行になるようにする。すると仕切り部２９が垂直になった移動可能のパネル１１Ｂが後パネル１２と重ねり合う。移動可能のパネル１１Ｂの自由端端部１１Ｃ、１１Ｄは、後パネル１２と側襠部分２４及び２６とを区切るミシン目とほぼ一致するようになる。つまり、二列の折り曲げ線１１２の間隔が幅Ｗであり仕切り部２９が垂直になると移動可能のパネル１１Ｂが幅Ｗだけ移動する。このため、側襠部分２３及び２５が折り曲がった後、自由端端部１１Ｃ、１１Ｄは側襠部分２４及び２６と接する又は少ない隙間しかないことになり、移動可能のパネル１１Ｂの移動が規制されることになる。したがって仕切り部２９が後パネル１２に対して垂直になった状態から倒れることはない。
【００２４】
図４は、側襠部分２３、２４、２５及び２６が組み立てた後の斜面図である
図３に示した状態において、側襠部分２３と側襠部分２４とが互いに重なるように、また側襠部分２５と側襠部分２６とが互いに重なるようにミシン目で折り曲げられる。さらに、耳部３１、３２が耳部挿入口２４１、２６２に挿入される。このようにして、図４に示された４つの独立な開口部２０が形成され、仕切り部２９と開口部２０とにより長さＬ１で幅Ｗを有する収納部が形成される。例えば名刺５０の大きさが幅Ｄ１で長さＤ２であると、切れ込み線１１１の長さＬ１が幅Ｄ１より若干大きく、後パネル１２の長さＨ１が長さＤ２より若干大きければ、名刺５０を開口部２０に挿入することができる。
【００２５】
図５は、名刺が入っている形態を示す図である。図６は図５の状態から蓋１３を閉じた形態を示す図である。
図５に示されるように、収納物である名刺５０は４つの開口部２０から投入される。図６に示されるように、名刺５０を覆うように蓋１３を閉じる。蓋１３の長さＨ４は前壁パネル１１Ａに接する長さであるので、名刺５０が完全に覆われる。これにより、本考案の多用途収納ケース１０の組み立て及び収納物の収納を完了する。
【００２６】
その後、テープ又は接着剤などにより、開閉可能な蓋１３を前壁パネル１１Ａに密封して郵送することができる。日本において定形郵便物サイズは、長辺２２ｃｍ以内、短辺１０ｃｍ以内、厚さ１ｃｍ以内である。例えば名刺５０の幅Ｄ１が約５ｃｍ以内、長さＤ２が１０ｃｍ以内で、１枚の名刺厚さが約０．４ｍｍ以内あれば、例えば、１００枚の名刺５０を定形郵便物サイズで郵送することができる。すなわち、図５に示されたように四つの収納部に、それぞれ２５枚の名刺５０を収納することができ、定形郵便物として安価な料金で送付することができる。このため、名刺印刷を請け負った印刷会社が顧客に安価で且つ簡便に名刺５０を郵送することができる。
【００２７】
図７は本考案の他の実施形態を示した図である。多用途収納ケース１０’は開閉可能な蓋１３の端部に更に耳部１３１が形成されている。この耳部１３１と対向する前壁パネル１１Ａの端部に、耳部挿入口１３２が設けられている。このため、テープ又は接着剤を使用することなく、蓋１３を前壁パネル１１Ａに密封して郵送することができる。
【００２８】
以上図１から図７に示されたように、多用途収納ケース１０は、１００枚ほどの名刺５０を定形郵便物として郵送できるケースであった。収納ケースの大きさを変えることでいろいろな用途のケースを作成することができる。
【００２９】
図８は、郵便はがき５０ｐを複数枚収納する収納ケース１０ｐを示した図である。図８の場合、前パネル１１ｐは、大きくえぐられた歯状の切れ込み線１１１ｐを形成している。これは郵便はがき５０ｐを収納ケース１０ｐに入れたままでも郵便はがき５０ｐの印刷内容が把握し易いようにしたためである。郵便はがき５０ｐは、一般に幅Ｄ３が１００ｍｍで長さＤ４が１４８ｍｍの大きさである。後パネル１２ｐの長さＨ５を１５０ｍｍ程度、切れ込み線１１１ｐの長さＬ２が１０２ｍｍ程度であれば、郵便はがき５０ｐを収納する開口部２０ｐを形成することができる。
【００３０】
この収納ケース１０ｐにおいて、下襠部分２１ｐ、上襠部分２２ｐ及び側襠部分２３ｐ〜２６ｐの幅Ｗ１は、特に限定はない。日本における定形外郵便の最大な寸法は「長辺＝６０ｃｍ、長辺＋短辺＋厚さ＝９０ｃｍ」である。郵便はがき５０ｐの厚さが約０．２２ｍｍであるので、下襠部分２１ｐ、上襠部分２２ｐ及び側襠部分２３ｐ〜２６ｐの幅Ｗ１を４８ｍｍ程度にすれば、収納ケース１０ｐは一つの開口部２０ｐに２００枚の郵便はがき５０ｐを入れ、８００枚の郵便はがき５０ｐを収納することができ、この収納ケース１０ｐをそのまま郵送することができる。特に年賀状やクリスマスカードの印刷を請け負った印刷会社が顧客に安価で且つ簡便に郵便はがき５０ｐを郵送することができる。
【００３１】
図９は、タバコ箱５０ｑ、文庫本などの箱型の収納物を複数収納する収納ケース１０ｑを示した図である。図９の場合、前パネル１１ｑは、タバコ箱５０ｐの銘柄などが確認し易いように大きくえぐられた半円状の切れ込み線１１１ｑを形成している。タバコ箱５０ｐの大きさが幅Ｄ５、長さＤ６及び厚さＤ７とすると、収納ケース１０ｑは切れ込み線１１１ｑの長さＬ３が幅Ｄ５よりやや大きく、下襠部分２１ｑ、上襠部分２２ｑ及び側襠部分２３ｑ〜２６ｑの幅Ｗ２を厚さＤ７よりもやや大きくしている。なお、タバコ箱５０ｐのようにある程度の厚さがある箱型の収納物は、一つの開口部２０ｑに２以上収納しても容易に取り出せる。このため、収納ケース１０ｑの後パネル１２ｑの長さＨ６を長さＤ６の２倍強の長さにすれば、１つの開口部２０ｑに２つのタバコ箱５０ｐを収納することができる。
【００３２】
このように。本考案の多用途収納ケースの大きさ又は厚さは、収納しようとする収納物のサイズ及び数に応じて設けることができる。
【００３３】
図１０は、蓋１３ｈの端部に更に支持板４０が設けられている収納ケース１０ｈを示した図である。図１０に示したように、蓋１３ｈの後パネル１２ｈと接続する端部と対向する端部に、支持板４０が形成されている。支持板４０の蓋１３ｈと接続する端部と対向する端部に更に耳部１３１ｈが形成されている。後パネル１２ｈの耳部１３１ｈと対応する端部に、耳部挿入口（不図示）が形成されている。
【００３４】
図１１は、スタンドとして使用される時の状態を示す図面である。この場合、蓋１３ｈを矢印Bに従って折り曲げて、垂直方向の支持板の役目を果たす。その後、支持板４０を蓋１３ｈと垂直するように折り曲げてから、耳部１３１ｈを後パネル１２ｈの耳部挿入口に挿入して、水平方向の支持板の役目を果たす。これにより、スタンドとして使用することができる。この時、蓋１３ｈの長さH４と支持板４０の長さH７は、収納ケース１０ｈを支持できる限り、特に限定はない。蓋１３ｈの長さは、後パネル１２ｈの長さH１の半分以上であるが好ましい、後パネル１２ｈの長さH１と同じであるがより好ましい。支持板４０の高さH７は、後パネル１２ｈの長さH１と蓋１３ｈの長さH４が決まった範囲内で、随意に選択することができる。
【００３５】
図１０に示したように、蓋１３ｈと接続する端部において、支持板４０を耳状にカットすることにより、耳部１３２ｈを形成することができる。前パネル１１ｈの耳部１３２ｈと対応する端部に、耳部挿入口１３２ｈが形成されている。
【００３６】
支持板４０を蓋１３ｈの内部に隠して、蓋１３ｈを矢印Ａに従って折り曲げて、耳部１３２ｈを前パネル１１ｈの下端部に形成された耳部挿入口１３２ｈに挿入することで、テープ又は接着剤を使用することなく、蓋１３ｈを前パネル１１ｈに密封して郵送することができる。包装したものを開けて、反対方向に蓋１３ｈを折り曲げて、耳部１３１ｈを後パネル１２ｈの下端部に形成された耳部挿入口に挿入することで、スタンドとして使用することができる。
この場合、蓋１３ｈの長さは、後パネル１２ｈの長さH１と同じであるが好ましい。
【００３７】
図１２は、支持板４０ｂの変形例を示す図である。蓋１３ｈの両側端部に長い支持板４０ｂが形成されている。後パネル１２ｈの両側端部に対応的に支持板挿入口（耳部挿入口と相同する）が形成されている。長い支持板４０ｂの先端部を支持板挿入口に挿入して、スタンドとして使用することができる。図１２において、点破線の部分は、組み立てない場合の蓋１３ｈと長い支持板４０ｂを示すものである。
【００３８】
なお、前記実施例の他に、図１３に示したように、収納物５０ｃがＣＤである場合、前パネル１１ｃにおいて、ＣＤの寸法及び数に従って、切れ込み線１１１ｃを形成して、開口部２０ｃを形成することができる。図１４に示したように、収納部５０ｄがペンである場合、前パネル１１ｄにおいて、ペンの寸法及び数に従って、切れ込み線１１１ｄを形成して、開口部２０ｄを形成することができる。前記実施例において、郵送のため開閉可能な蓋１３が設けられているが、開閉可能な蓋１３を省略してもよい。開閉可能な蓋１３がない場合、壁等に掛けたり、釘により固定されたりすることもできる。
【００３９】
実施例に係る多用途収納ケースは、一枚のシート材により形成され、カッター又は金型により、裁断して形成することができる。実施例として、名刺、ペン、ＣＤ、タバコ及び葉書を収納するものを挙げたが、これに限定されず、本、パンフレート、食品などの製品を包装し、郵送して、売場で直接に展示することができる。
【００４０】
なお、図１に示した一枚のシート材の材料は、紙類、ダンボール、ＰＥＴ材、塩ビ材などを使用することができる。
【００４１】
本考案の好ましい実施形態として、前のように説明したが、本考案を限定するものではない。開口部の形状及び数、多用途収納ケースのサイズ及び形成材料等に対して、いろいろ変更することができる。
【図面の簡単な説明】
【００４２】
【図１】本考案の好ましい実施形態に係る多用途収納ケースの展開図である。
【図２】本考案の好ましい実施形態に係る四つの収納部を形成した斜面図である。
【図３】本考案の好ましい実施形態に係る前パネルを下襠部分で折り曲げた後の斜視図である。
【図４】本考案の好ましい実施形態に係る各襠部分が組み立てた後の斜面図である。
【図５】本考案の好ましい実施形態に係る名刺などの収納物が入っている形態を示す図面である。
【図６】本考案の好ましい実施形態に係る組み立て済みの収納ケースの斜面図である。
【図７】本考案の他の一つの実施例に係る収納ケースの斜面図である。
【図８】本考案の他の一つの実施例に係る収納ケースの斜面図である。
【図９】本考案の他の一つの実施例に係る収納ケースの斜面図である。
【図１０】本考案の他の一つの実施例に係る展開図である。
【図１１】本考案の他の一つの実施例に係る収納ケースの斜面図である。
【図１２】本考案の他の一つの実施例に係る収納ケースの斜面図である。
【図１３】本考案の他の一つの実施例に係る収納ケースの斜面図である。
【図１４】本考案の他の一つの実施例に係る収納ケースの斜面図である。
【図１５】従来多用途書類ホルダ９０の展開図である。
【符号の説明】
【００４３】
１０  …  多用途収納ケース
１１  …  前パネル
１２  …  後パネル
１３  …  開閉可能な蓋
２１  …  下襠部分
２２  …  上襠部分
２３、２４、２５、２６  …  側襠部分
３１  …  耳部
３２  …  耳部
２４１  …  耳部挿入口
２６２  …  耳部挿入口
２０  …  開口部
２９  …  仕切り部
４０  …  支持板
５０  …  収納物
９０  …  多用途書類ホルダ
９２  …  主パネル
９４  …  副パネル
９６  …  上部フラップ
９８  …  襠部分
９９  …  接着部
【図１】
0003143671.tif 000003
【図２】
0003143671.tif 000004
【図３】
0003143671.tif 000005
【図４】
0003143671.tif 000006
【図５】
0003143671.tif 000007
【図６】
0003143671.tif 000008
【図７】
0003143671.tif 000009
【図８】
0003143671.tif 000010
【図９】
0003143671.tif 000011
【図１０】
0003143671.tif 000012
【図１１】
0003143671.tif 000013
【図１２】
0003143671.tif 000014
【図１３】
0003143671.tif 000015
【図１４】
0003143671.tif 000016
【図１５】
0003143671.tif 000017